(57)【特許請求の範囲】
【請求項１】
１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成し、前記１次巻線、前記一方の２次巻線および前記他方の２次巻線の全てを貫く磁束による閉磁路は形成しない磁性体コアと、
を備えてなることを特徴とするインバータトランス。
【請求項２】
前記磁性体コアは、前記ボビンの内部を該ボビンの前記軸線方向に延びる第１コアと、該第１コアと共に前記第１の閉磁路を形成する第２コアと、前記第１コアと共に前記第２の閉磁路を形成する第３コアと、からなることを特徴とする請求項１記載のインバータトランス。
【請求項３】
１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成する磁性体コアと、を備え、
前記磁性体コアは、前記ボビンの内部を該ボビンの前記軸線方向に延びる第１コア、前記第１の２次側巻軸部に沿って前記第１コアと略平行に延びる基部と該基部の両端部において前記第１コアに向けてそれぞれ突出する脚部とを有する第２コア、および前記第２の２次側巻軸部に沿って前記第１コアと略平行に延びる基部と該基部の両端部において前記第１コアに向けてそれぞれ突出する脚部とを有する第３コアからなり、
前記第２コアは、該第２コアの前記各脚部のうちの一方が前記第１コアの一端側において該第１コアに連結されるとともに、他方が前記１次側巻軸部と前記第２の２次側巻軸部との間において前記第１コアに連結されるように配置され、
前記第３コアは、該第３コアの前記各脚部のうちの一方が前記第１コアの他端側において該第１コアに連結されるとともに、他方が前記１次側巻軸部と前記第１の２次側巻軸部との間において前記第１コアに連結されるように、前記ボビンの前記軸線を挟んで前記第２コアの反対側に配置されている、ことを特徴とするインバータトランス。
【請求項４】
１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成する磁性体コアと、を備え、
前記１次側巻軸部は、前記１次巻線が巻回される領域が、前記第１の２次側巻軸部側の第１巻回領域と、前記第２の２次側巻軸部側の第２巻回領域とに分割されてなり、
前記磁性体コアは、前記ボビンの内部を該ボビンの前記軸線方向に延びる第１コア、前記第１の２次側巻軸部に沿って前記第１コアと略平行に延びる基部と該基部の両端部において前記第１コアに向けてそれぞれ突出する脚部とを有する第２コア、および前記第２の２次側巻軸部に沿って前記第１コアと略平行に延びる基部と該基部の両端部において前記第１コアに向けてそれぞれ突出する脚部とを有する第３コアからなり、
前記第２コアは、該第２コアの前記２つの脚部のうちの一方が前記第１コアの一端側において該第１コアに連結されるとともに、他方が前記１次側巻軸部の前記第１巻回領域と前記第２巻回領域との間において前記第１コアに連結されるように配置され、
前記第３コアは、該第３コアの前記２つの脚部のうちの一方が前記第１コアの他端側において該第１コアに連結されるとともに、他方が前記１次側巻軸部の前記第１巻回領域と前記第２巻回領域との間において前記第１コアに連結されるように配置されている、ことを特徴とするインバータトランス。
【請求項５】
前記第２コアは、該第２コアの前記各脚部の間に中脚部を有し、該中脚部が前記１次側巻軸部と前記第１の２次側巻軸部との間において前記第１コアと所定のエアギャップを介して対向するように配置され、
前記第３コアは、該第３コアの前記各脚部の間に中脚部を有し、該中脚部が前記１次側巻軸部と前記第２の２次側巻軸部との間において前記第１コアと所定のエアギャップを介して対向するように配置されている、ことを特徴とする請求項３または４記載のインバータトランス。
【発明の詳細な説明】
【技術分野】
【０００１】
本発明は、例えば、ノートパソコン、液晶テレビ等に使用される各種表示パネルのバックライト用の冷陰極放電ランプ（ＣＣＦＬ）を放電、点灯させるＤＣ／ＡＣインバータ回路で使用されるインバータトランスに関し、特に、１個で２つの電圧出力を取り出すことが可能なインバータトランスに関する。
【背景技術】
【０００２】
従来、この種のインバータトランスとしては、１つの１次巻線に対して２つの２次巻線が電磁結合される１入力２出力型のものと、互いに電磁結合される１次巻線と２次巻線のペアを２組備えた２入力２出力型のものとが知られている。
【０００３】
１入力２出力型のインバータトランスは、１次巻線を共用しているので、部品点数が少なくコンパクトに構成することができるという利点があるものの、各２次巻線に対し独立した閉磁路を設けることが難しいため磁気干渉が生じやすく、安定した電圧出力を取り出すことが難しいという問題がある。
【０００４】
一方、２入力２出力型のインバータトランスは、各２次巻線に対し独立した閉磁路を設けることが容易であり、安定した電圧出力を取り出すことができるという利点があるものの、２つの１次巻線を用いているので、部品点数が多くなりコンパクトに構成することが難しいという問題がある。
【０００５】
このような問題点に鑑み本願出願人は、下記特許文献１に記載されたインバータトランスを提案している。このインバータトランスは、１次巻線が巻回される巻軸部と、２次巻線が巻回される巻軸部とが同軸に一体に形成されてなるボビンを、横並びに２つ配置してなるものであり、各２次巻線に対応した閉磁路の一部を共有磁路とすることにより、安定した電圧出力の取出しとコンパクト化を両立するようにしている。
【０００６】
【特許文献１】特開２００５−３１１２２７号公報
【発明の開示】
【発明が解決しようとする課題】
【０００７】
しかしながら、上記特許文献１に記載されたインバータトランスは、互いに別体に形成された２つのボビンを横並びに組み合わせる構成のため、ボビンを組み合わせる際の組付け精度が悪いと、一方のボビンに保持された端子と他方のボビンに保持された端子との間で、高さ位置（実装される回路基板面と直交する方向の位置）が不揃いとなり、回路基板への実装作業に支障を来たす虞がある。
【０００８】
各２次巻線が巻回されるボビンを一体に形成するようにすれば、このような事態を回避し得るが、横並びに配置される２つのボビンを一体化した場合には、一方のボビンに巻線を巻回する際に他方のボビンの存在が妨げとなって、巻回作業が極めて困難となる。
【０００９】
また、近年、ノートパソコン等において、全体の大きさは抑えつつ表示画面の拡大化が図られるのに伴い、表示パネルの周囲に配される枠体の幅が狭く形成される傾向にある。バックライト用のインバータトランスは、枠体の内部に配置されることが多いため、枠体の幅が狭くなるのに伴い、全体の形状をより細長くコンパクトにすることが必要とされている。しかし、上記特許文献１に記載されたインバータトランスは、２つのボビンが横並びに配置される構成のため、全体の形状を細長くコンパクトにすることが難しい。
【００１０】
コンパクト化を図るには、１次巻線を共用する１入力２出力型の構成を採ることが望ましいが、その場合には先述したように、各２次巻線に対して、磁気干渉が生じない独立の閉磁路を設けることが難しいという問題の解決を図ることが必要となる。
【００１１】
本発明はこのような事情に鑑みなされたものであり、各２次巻線が巻回されるボビンを、各巻線の巻回作業が容易に行えるように一体化しつつ、各２次巻線に対して、磁気干渉が生じない独立の閉磁路を設けることが可能なインバータトランスを提供することを目的とする。
【課題を解決するための手段】
【００１２】
上記目的を達成するため、本発明に係るインバータトランスは、１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成し、前記１次巻線、前記一方の２次巻線および前記他方の２次巻線の全てを貫く磁束による閉磁路は形成しない磁性体コアと、を備えてなることを特徴とする。
本発明において、前記磁性体コアは、前記ボビンの内部を該ボビンの前記軸線方向に延びる第１コアと、該第１コアと共に前記第１の閉磁路を形成する第２コアと、前記第１コアと共に前記第２の閉磁路を形成する第３コアと、からなるとすることができる。
【００１３】
また、本発明に係る他のインバータトランスは、１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成する磁性体コアと、を備え、
前記磁性体コアは、前記ボビンの内部を該ボビンの前記軸線方向に延びる第１コア、前記第１の２次側巻軸部に沿って前記第１コアと略平行に延びる基部と該基部の両端部において前記第１コアに向けてそれぞれ突出する脚部とを有する第２コア、および前記第２の２次側巻軸部に沿って前記第１コアと略平行に延びる基部と該基部の両端部において前記第１コアに向けてそれぞれ突出する脚部とを有する第３コアからなり、
前記第２コアは、該第２コアの前記各脚部のうちの一方が前記第１コアの一端側において該第１コアに連結されるとともに、他方が前記１次側巻軸部と前記第２の２次側巻軸部との間において前記第１コアに連結されるように配置され、
前記第３コアは、該第３コアの前記各脚部のうちの一方が前記第１コアの他端側において該第１コアに連結されるとともに、他方が前記１次側巻軸部と前記第１の２次側巻軸部との間において前記第１コアに連結されるように、前記ボビンの前記軸線を挟んで前記第２コアの反対側に配置されている、ことを特徴とする。
【００１４】
また、本発明に係る別のインバータトランスは、１つの１次巻線に対して２つの２次巻線が電磁結合されるように構成されたインバータトランスであって、
前記２つの２次巻線のうちの一方の２次巻線が巻回される第１の２次側巻軸部と、前記１次巻線が巻回される１次側巻軸部と、前記２つの２次巻線のうちの他方の２次巻線が巻回される第２の２次側巻軸部とが、この順序で同軸に位置するように互いに一体に形成されてなる中空のボビンと、
前記１次巻線と前記一方の２次巻線とを貫く磁束による第１の閉磁路と、前記１次巻線と前記他方の２次巻線とを貫く磁束による第２の閉磁路とを、前記ボビンの軸線方向に互いにずれた位置に形成する磁性体コアと、を備え、
前記１次側巻軸部は、前記１次巻線が巻回される領域が、前記第１の２次側巻軸部側の第１巻回領域と、前記第２の２次側巻軸部側の第２巻回領域とに分割されてなり、
前記磁性体コアは、前記ボビンの内部を該ボビンの前記軸線方向に延びる第１コア、前記第１の２次側巻軸部に沿って前記第１コアと略平行に延びる基部と該基部の両端部において前記第１コアに向けてそれぞれ突出する脚部とを有する第２コア、および前記第２の２次側巻軸部に沿って前記第１コアと略平行に延びる基部と該基部の両端部において前記第１コアに向けてそれぞれ突出する脚部とを有する第３コアからなり、
前記第２コアは、該第２コアの前記２つの脚部のうちの一方が前記第１コアの一端側において該第１コアに連結されるとともに、他方が前記１次側巻軸部の前記第１巻回領域と前記第２巻回領域との間において前記第１コアに連結されるように配置され、
前記第３コアは、該第３コアの前記２つの脚部のうちの一方が前記第１コアの他端側において該第１コアに連結されるとともに、他方が前記１次側巻軸部の前記第１巻回領域と前記第２巻回領域との間において前記第１コアに連結されるように配置されている、ことを特徴とする。
【００１５】
また、前記第２コアは、該第２コアの前記各脚部の間に中脚部を有し、該中脚部が前記１次側巻軸部と前記第１の２次側巻軸部との間において前記第１コアと所定のエアギャップを介して対向するように配置され、
前記第３コアは、該第３コアの前記各脚部の間に中脚部を有し、該中脚部が前記１次側巻軸部と前記第２の２次側巻軸部との間において前記第１コアと所定のエアギャップを介して対向するように配置されている、とすることができる。
【００１６】
なお、上記「連結」とは、２つの部材が互いに密着した状態で当接している場合と、２つの部材間に所定の間隙（エアギャップ）を介した状態で、２つの部材が互いに対向している場合とを含む。
【発明の効果】
【００１７】
本発明のインバータトランスによれば、各２次巻線が巻回される第１および第２の２次側巻軸部と１次巻線が巻回される１次側巻軸部とが、互いに一体に形成されてボビンが構成されているので、互いに別体に形成された２つのボビンを組み合わせる構成のものにおいて生じる問題、すなわち、２つのボビンを組み合わせる際の組付け精度によってボビンに保持された各端子の高さ位置が不揃いとなるという問題が生じないので、回路基板への実装作業を容易かつ高精度に行うことが可能となる。
【００１８】
また、一体化されたボビンにおいて、第１および第２の２次側巻軸部と１次側巻軸部とは互いに同軸に配置されているので、１次巻線および２つの２次巻線の巻回作業を容易に行うことが可能となる。
【００１９】
さらに、１つの１次巻線に対して２つの２次巻線が電磁結合される１入力２出力型の構成を採るとともに、第１および第２の２次側巻軸部と１次側巻軸部とを同軸に配置しているので、部材点数を少なくできるとともに、全体の形状を細長くコンパクトに構成することが可能となる。
【００２０】
また、１次巻線と一方の２次巻線とを貫く磁束が通る第１の閉磁路と、１次巻線と他方の２次巻線とを貫く磁束が通る第２の閉磁路とを、ボビンの軸線方向に互いにずれた位置に形成する磁性体コアを備えていることにより、第１および第２の閉磁路を、互いに磁気干渉を及ぼさない独立した構成とすることが可能となるので、各２次巻線から安定した電圧出力を取り出すことが可能となる。
【発明を実施するための最良の形態】
【００２１】
以下、本発明に係るインバータトランスの実施形態について、添付した各図面を参照しつつ詳細に説明する。図１〜図６は本発明に係るインバータトランスの実施形態を示している。なお、以下の説明では、図１に示す３次元直交座標系のＸ軸の方向を前後（矢線の向きが前）、Ｙ軸の方向を左右（矢線の向きが右）、Ｚ軸の方向を上下（矢線の向きが上）と称する。また、他の図における３次元直交座標系は、図１のものと向きが一致するように示されている。
【００２２】
まず、図１〜図３を用いて、本発明の一実施形態に係るインバータトランスの構成について説明する。図１は本発明の一実施形態に係るインバータトランスの全体構成を示す平面図、図２は図１に示すボビンの正面側からの斜視図、図３は図１に示す磁性体コアの正面側からの分解斜視図である。
【００２３】
本実施形態のインバータトランス１は、例えば、ノートパソコン、液晶テレビ等に使用される各種表示パネルのバックライト用の冷陰極放電ランプ（ＣＣＦＬ）を放電、点灯させるＤＣ／ＡＣインバータ回路で使用されるものであり、図１に示すように、１つの１次巻線２と２つの２次巻線３Ａ，３Ｂと中空のボビン４と磁性体コア５とを備えてなる。
【００２４】
図２に示すように上記ボビン４は、上記２つの２次巻線３Ａ，３Ｂ（図１参照）のうちの一方の２次巻線３Ａが巻回される第１の２次側巻軸部４１Ａと、上記１次巻線２（図１参照）が巻回される１次側巻軸部４２と、上記２つの２次巻線３Ａ，３Ｂのうちの他方の２次巻線３Ｂが巻回される第２の２次側巻軸部４１Ｂとが、この順序で、図中Ｙ軸方向に延びる軸線Ｃ１に沿って互いに同軸に位置するように一体に形成されてなる。
【００２５】
詳しくは、上記第１の２次側巻軸部４１Ａ、上記１次側巻軸部４２、および上記第２の２次側巻軸部４１Ｂは、上記軸線Ｃ１方向に互いに離間して配設されており、第１の２次側巻軸部４１Ａと１次側巻軸部４２との間、および１次側巻軸部４２と第２の２次側巻軸部４１Ｂとの間にそれぞれ配された板状の端子台４３Ａ，４３Ｂを介して、該端子台４３Ａ，４３Ｂと共に互いに一体に形成されている。
【００２６】
なお、上記端子台４３Ａには、前方に突出する１次側端子６Ａと後方に突出する２次側端子７Ａとが１つずつ保持されており、上記１次巻線２の一端部が１次側端子６Ａに接続されるように、上記２次巻線３Ａの一端部が２次側端子７Ａの絡げ部７ａに接続されるように構成されている。一方、上記端子台４３Ｂには、前方に突出する１次側端子６Ｂと後方に突出する２次側端子７Ｂとが１つずつ保持されており、上記１次巻線２の他端部が１次側端子６Ｂに接続されるように、上記２次巻線３Ｂの一端部が２次側端子７Ｂの絡げ部７ａに接続されるように構成されている。
【００２７】
また、上記１次側巻軸部４２は、その左右両端にエンド鍔４２ａを有しており、該一対のエンド鍔４２ａの間に形成された巻回領域に、上記１次巻線２（図１参照）が巻回されるようになっている。一方、上記第１の２次側巻軸部４１Ａは、その左右両端にそれぞれ配されたエンド鍔４１ａと、該一対のエンド鍔４１ａの間に配された複数（本実施形態では６枚）の仕切り鍔４１ｂ（付番一部省略）とを有しており、該各仕切り鍔４１ｂによって複数（本実施形態では７つ）のセクションに区分された巻回領域に、上記一方の２次巻線３Ａが巻回されるようになっている。なお、上記第２の２次側巻軸部４１Ｂは、上記第１の２次側巻軸部４１Ａと左右対称の構成を有しており、各仕切り鍔４１ｂによって複数のセクションに区分された巻回領域に、上記他方の２次巻線３Ｂが巻回されるようになっている。さらに、上記各仕切り鍔４１ｂには、上記２次巻線３Ａ（または３Ｂ）を隣接する巻回セクションに渡すための切欠部４１ｃ（付番一部省略）が形成されている。
【００２８】
また、上記第１の２次側巻軸部４１Ａの左端部には端子台４３Ｃが一体に配されており、上記第２の２次側巻軸部４１Ｂの右端部には端子台４３Ｄが一体に配されている。上記端子台４３Ｃは、後方に突出する１つの２次側端子７Ｃを保持しており、その絡げ部７ａには上記一方の２次巻線３Ａの他端部が接続されるようになっている。また、この端子台４３Ｃの上面には、その後縁部および左縁部に沿って延びるＬ字状の壁部４３ａが設けられている。一方、上記端子台４３Ｄは、前方に突出する１つの２次側端子７Ｄを保持しており、その絡げ部７ａには上記他方の２次巻線３Ｂの他端部が接続されるようになっている。また、この端子台４３Ｄの上面には、その前縁部に沿って延びる壁部４３ｂが設けられている。
【００２９】
このような構成を有するボビン４は、絶縁性を有するプラスチック等の材料で形成されており、上記第１の２次側巻軸部４１Ａ、上記１次側巻軸部４２、および上記第２の２次側巻軸部４１Ｂの各内部を、上記軸線Ｃ１方向に貫通するコア挿通孔４４を備えている。
【００３０】
一方、図３に示すように上記磁性体コア５は、例えば、軟磁性材料のフェライト（その他に、パーマロイ、センダスト、鉄カルボニル等の材料や、これらの微粉末を圧縮成型したダストコアを使用することも可能）によりそれぞれ形成されたＩ字型の第１コア５１、Ｕ字型の第２および第３コア５２，５３が互いに組み合わされて構成されている。
【００３１】
上記第１コア５１は、図２に示すボビン４の軸線Ｃ１に沿って上記第２の２次側巻軸部４１Ｂの右端側より上記コア挿通孔４４内に挿通され、その左端部が上記端子台４３Ｃの壁部４３ａに当接した状態で、上記ボビン４内に保持されるように構成されている（図１参照）。
【００３２】
一方、上記第２コア５２は、図３に示すように、上記第１コア５１と平行に延びる基部５２ａと、該基部５２ａの両端部において上記第１コア５１に向けてそれぞれ突出する脚部５２ｂ，５２ｃとが互いに一体に形成されてなる。この第２コア５２は、図１に示すように、その一方の脚部５２ｂが上記第１コア５１の左端側において該第１コア５１の前面に当接するように、他方の脚部５２ｃが上記１次側巻軸部４２と上記第２の２次側巻軸部４１Ｂとの間において該第１コア５１の前面に当接するように配置される。このように配置された第２コア５２と上記第１コア５１とにより、上記１次巻線２と上記２次巻線３Ａとを貫く磁束が通る第１の閉磁路８Ａが構成されるようになっている。
【００３３】
また、上記第３コア５３は、上記第２コア５２と同じ形状、大きさを有するものであり、図３に示すように、上記第１コア５１と平行に延びる基部５３ａと、該基部５３ａの両端部において上記第１コア５１に向けてそれぞれ突出する脚部５３ｂ，５３ｃとが互いに一体に形成されてなる。この第３コア５３は、図１に示すように、その一方の脚部５３ｂが上記第１コア５１の右端側において該第１コア５１の後面に当接するように、他方の脚部５３ｃが上記第１の２次側巻軸部４１Ａと上記１次側巻軸部４２との間において該第１コア５１の後面に当接するように、上記軸線Ｃ１を挟んで上記第２コア５２の反対側に配置される。このように配置された第３コア５３と上記第１コア５１とにより、上記１次巻線２と上記２次巻線３Ｂとを貫く磁束が通る第２の閉磁路８Ｂが、上記第１の閉磁路８Ａに対し上記軸線Ｃ１方向にずれた位置に構成されるようになっている。
【００３４】
このように本実施形態のインバータトランス１は、１つの１次巻線２に対し２つの２次巻線３Ａ，３Ｂが電磁結合される１入力２出力型の構成を採りつつボビン４の一体化を図りながらも、２つの閉磁路８Ａ，８Ｂをボビン４の軸線Ｃ１方向に互いにずれた位置に設けることにより、２つの閉磁路８Ａ，８Ｂを、互いに磁気干渉を及ぼさない独立したものとすることが可能となっている。
【００３５】
次に、本実施形態の回路構成について説明する。図４は回路構成の一例を模式的に示している。図４に示す回路は、図１に示すインバータトランス１の構成に対応するものであるが、図１に示すボビン４の図示は省略している。また、２次側端子７Ｂを、便宜上、１次側端子６Ｂと並べて表記してある。
【００３６】
図４に示す第１および第２の閉磁路８Ａ，８Ｂは、磁路長が互いに等しくなるように構成されている。これにより、２つの２次巻線３Ａ，３Ｂは、１つの１次巻線２に対して、互いに等しい結合度で電磁結合されるので、各２次巻線３Ａ，３Ｂから互いに等しい電圧出力を得ることが可能となる。また、２つの２次巻線３Ａ，３Ｂには、１次巻線２で生じた磁束が２分されて略５０％ずつ分配されることになるので、各２次巻線３Ａ，３Ｂから見た場合には漏れ磁束が生じているのと同じことになる。すなわち、本実施形態のインバータトランス１は、リーケージインバータトランスとして動作するように構成されている。
【００３７】
また、図４に示す例では、２次巻線３Ａの始端部が２次側端子７Ｃに接続され、終端部が２次側端子７Ａに接続されている。また、２次巻線３Ｂの始端部が２次側端子７Ｂに接続され、終端部は２次側端子７Ｄに接続されている。そして、２つの２次側端子７Ａと２次側端子７Ｂとは共に接地（Ｇ）されている。
【００３８】
このように本実施形態では、最も左側に位置する２次側端子７Ｃと最も右側に位置する２次側端子７Ｄとが高電圧（Ｈ）側となり、中央寄りに位置する２つの２次側端子７Ａ，７Ｂが接地（Ｇ）側となる端子配列となっている。このような配列は、基板（図示略）上におけるＨ側への回路とＧ側への回路の取り回しが容易となるので、特に、Ｕ字型のＣＣＦＬ（Ｕ字管。直線型のＣＣＦＬ（直管）を直列に接続してなる擬似Ｕ字管でも可）を接続するのに適している。すなわち、Ｈ側の２次側端子７Ｃ，７ＤにＵ字管の各端部をそれぞれ接続することにより、Ｕ字管に対し高電圧の出力を供給することが可能である。
【００３９】
一方、１つのＵ字管に替えて、２つの直管を接続することも可能である。すなわち、２つの直管のうちの一方の各端部を２次側端子７Ｃ，７Ａに接続し、他方の各端部を２次側端子７Ｄ，７Ｂに接続することができる。このように本実施形態のインバータトランス１は、１つのＵ字管に対して高い電圧出力を供給したり、２つの直管に対して比較的低い電圧出力を供給したりすることが可能となっている。
【００４０】
次に、本発明に係るインバータトランスの他の実施形態について説明する。図５は本発明の他の実施形態に係るインバータトランスの回路構成の一例を模式的に示している。なお、図５に示す実施形態において、図１〜図４に示すものと概念的に共通する構成要素については、同一の番号等を付すこととし、その詳細な説明は省略する。
【００４１】
図５に示すインバータトランス１Ａは、図示せぬボビンの１次側巻軸部における１次巻線２が巻回される領域が、第１の２次側巻軸部側（２次巻線３Ａ側）の第１巻回領域Ａ１と、第２の２次側巻軸部側（２次巻線３Ｂ側）の第２巻回領域Ａ２とに分割され、各巻回領域Ａ１，Ａ２に互いに等量の１次巻線２が巻回されている。
【００４２】
また、磁性体コア５Ａを構成する第２コア５２は、その一方の脚部５２ｂが第１コア５１の左端側において該第１コア５１の前面に当接するように、他方の脚部５２ｃが上記第１巻回領域Ａ１と上記第２巻回領域Ａ２との間において該第１コア５１の前面に当接するように配置されている。さらに、第３コア５３は、その一方の脚部５３ｂが上記第１コア５１の右端側において該第１コア５１の後面に当接するように、他方の脚部５３ｃが上記第１巻回領域Ａ１と上記第２巻回領域Ａ２との間において該第１コア５１の後面に当接するように、上記軸線Ｃ１を挟んで上記第２コア５２の反対側に配置されている。
【００４３】
このような構成とすることにより、第１の閉磁路８Ａと第２の閉磁路８Ｂとの独立性を高めることが可能となる。なお、上記第１巻回領域Ａ１と上記第２巻回領域Ａ２との間隔を広げることにより、第２コア５２と第３コア５３を軸線Ｃ１に対して同じ側に並べて配置することもできる。その場合には、インバータトランス１Ａの前後方向の寸法をより小さくすることが可能となる。
【００４４】
次に、本発明に係るインバータトランスのその他の実施形態について説明する。図６は本発明のその他の実施形態に係るインバータトランスの回路構成の一例を模式的に示している。なお、図６に示す実施形態において、図１〜図５に示すものと概念的に共通する構成要素については、同一の番号等を付すこととし、その詳細な説明は省略する。
【００４５】
図６に示すインバータトランス１Ｂは、磁性体コア５Ｂを構成する第２コア５２および第３コア５３が、互いに同じ形状、大きさを有するＥ字型のコアで構成されている。すなわち、第２コア５２は、２つの脚部５２ｂ，５２ｃの間に中脚部５２ｄを有し、該中脚部５２ｄが１次側巻軸部（１次巻線２）と第１の２次側巻軸部（２次巻線３Ａ）との間において第１コア５１の前面と所定のエアギャップを介して対向するように配置されている。一方、第３コア５３は、２つの脚部５３ｂ，５３ｃの間に中脚部５３ｄを有し、該中脚部５３ｄが１次側巻軸部（１次巻線２）と第２の２次側巻軸部（２次巻線３Ｂ）との間において第１コア５１の後面と所定のエアギャップを介して対向するように配置されている。
【００４６】
このような構成とすることにより、第２コア５２および第３コア５３の各中脚部５２ｄ，５３ｄと第１コア５１との間のエアギャップ量を調整することによって、容易にリーケージインダクタンスの調整を図ることが可能となる。なお、中脚部５２ｄ（５３ｄ）の断面積を、２つの脚部５２ｂ，５２ｃ（５３ｂ，５３ｃ）の断面積よりも小さくなるように構成することにより、リーケージインダクタンスをより大きくすることも可能である。
【図面の簡単な説明】
【００４７】
【図１】一実施形態に係るインバータトランスの全体構成を示す平面図
【図２】図１に示すボビンの正面側からの斜視図
【図３】図１に示す磁性体コアの正面側からの分解斜視図
【図４】一実施形態に係るインバータトランスの回路図
【図５】他の実施形態に係るインバータトランスの回路図
【図６】その他の実施形態に係るインバータトランスの回路図
【符号の説明】
【００４８】
１，１Ａ，１Ｂ    インバータトランス
２                １次巻線
３Ａ，３Ｂ        ２次巻線
４                ボビン
５，５Ａ，５Ｂ    磁性体コア
６Ａ，６Ｂ        １次側端子
７Ａ〜７Ｄ        ２次側端子
７ａ              絡げ部
８Ａ              第１の閉磁路
８Ｂ              第２の閉磁路
４１Ａ            第１の２次側巻軸部
４１Ｂ            第２の２次側巻軸部
４１ａ，４２ａ    エンド鍔
４１ｂ            仕切り鍔
４１ｃ            切欠部
４２              １次側巻軸部
４３Ａ〜４３Ｄ    端子台
４３ａ，４３ｂ    壁部
４４              コア挿通孔
５１              第１コア
５２              第２コア
５２ａ，５３ａ    基部
５２ｂ，５２ｃ，５３ｂ，５３ｃ      脚部
５２ｄ，５３ｄ    中脚部
Ａ１               第１巻回領域
Ａ２               第２巻回領域
Ｃ１               軸線
【図１】
0004841286.tif 000002
【図２】
0004841286.tif 000003
【図３】
0004841286.tif 000004
【図４】
0004841286.tif 000005
【図５】
0004841286.tif 000006
【図６】
0004841286.tif 000007